(57)【要約】【課題】本発明は、レンズ群の光軸調整が容易なレンズ鏡筒を提供する。【解決手段】複数のレンズ群を収納するレンズ鏡筒であって、レンズ鏡筒内に、レンズ群の光軸３００方向に移動する少なくとも一つの可動レンズ群である第２レンズ群２２０を有し、第２レンズ群２２０が、第２レンズ群２２０を保持する可動レンズ保持枠である第２レンズ群保持枠２２４と、第２レンズ群保持枠２２４を保持して第２レンズ群２２０を光軸３００方向に移動させるガイド軸４４０とを備え、ガイド軸４４０の一端部４４０ａが筐体２３２に支持固定され、ガイド軸４４０の他端部４４０ｂが弾性部材となるヒンジ４８２を介して筐体２１４に保持されている。【選択図】図６
2011145426.tif 000002
【特許請求の範囲】
【請求項１】
複数のレンズ群を収納するレンズ鏡筒であって、
前記レンズ鏡筒内に、前記レンズ群の光軸方向に移動する少なくとも一つの可動レンズ群を有し、前記可動レンズ群が、前記可動レンズ群を保持する可動レンズ保持枠と、前記可動レンズ保持枠を保持して前記可動レンズ群を前記光軸方向に移動させるガイド軸、とを備え、前記ガイド軸の一端が筐体に支持固定され、前記ガイド軸の他端が弾性部材を介して前記筐体に保持されることを特徴とするレンズ鏡筒。
【請求項２】
前記弾性部材が、弾性変形をする板状部材と、前記ガイド軸の一端を保持する保持部材とからなることを特徴とする請求項１記載のレンズ鏡筒。
【請求項３】
前記筐体が、前記ガイド軸の一端を支持固定する第１筐体と、前記弾性部材を固定する第２筐体とからなることを特徴とする請求項１記載のレンズ鏡筒。
【請求項４】
前記弾性部材は、第１の板状部材と、前記第１の板状部材が延出する方向と直交する方向に延出する第２の板状部材からなり、前記第１の板状部材および前記第２の板状部材が、前記筐体に樹脂成型により一体に設けられていることを特徴とする請求項１記載のレンズ鏡筒。
【請求項５】
前記弾性部材は所定の方向に延出する少なくとも２本の第１の板状部材と、前記第１の板状部材が延出する方向と直交する方向に延出する少なくとも２本の第２の板状部材とを有し、前記第１の板状部材および前記第２の板状部材が、前記筐体に樹脂成型により一体に設けられていることを特徴とする請求項１に記載のレンズ鏡筒。
【請求項６】
前記保持部材が前記ガイド軸を保持する板状部材であり、前記板状部材の端部を押圧することにより前記弾性部材を変形させて、前記ガイド軸の位置を変位させることを特徴とする請求項２に記載のレンズ鏡筒。
【請求項７】
前記筐体に取り付けられたねじの調整により、前記板状部材の端部を押圧する、または押し引きすることにより前記弾性部材を変形させて、前記ガイド軸の位置を変位させることを特徴とする請求項６に記載のレンズ鏡筒。
【請求項８】
前記筐体に回転自在に固定された前記ねじが、前記板状部材に形成された雌ねじとかみ合い、前記ねじの回転を調整することにより、前記板状部材を押し引きし、前記弾性部材を変形させて、前記ガイド軸の位置を変位させることを特徴とする請求項６に記載のレンズ鏡筒。
【請求項９】
前記保持部材に支持固定した前記ガイド軸を押圧する、または押し引きすることにより前記弾性部材を変形させて、前記ガイド軸の位置を変位させることを特徴とする請求項２に記載のレンズ鏡筒。
【請求項１０】
前記保持部材が弾性部材である請求項２に記載のレンズ鏡筒。
【請求項１１】
前記保持部材が薄肉の金属部材であることを特徴とする請求項１０記載のレンズ鏡筒。
【請求項１２】
前記板状部材の端部を押圧する方向、または前記板状部材を押し引きする方向、または前記ガイド軸を押圧する方向が、前記ガイド軸の軸方向に直交する少なくなくとも２方向であることを特徴とする請求項６から請求項１１のいずれか一項に記載のレンズ鏡筒。
【請求項１３】
前記保持部材に支持固定された前記ガイド軸の端部を前記保持部材よりも突出させ、突出した前記端部の前記筐体に対する位置を固定する固定部材を備えたことを特徴とする請求項２に記載のレンズ鏡筒。
【請求項１４】
前記固定部材を前記筐体に接着接合したことを特徴とする請求項１３に記載のレンズ鏡筒。
【請求項１５】
前記可動レンズ群がズームレンズ群であることを特徴とする請求項１から請求項１４のいずれか一項に記載のレンズ鏡筒。
【発明の詳細な説明】
【技術分野】
【０００１】
本発明は、撮像装置のレンズ鏡筒に関するものであり、特には、レンズ群の光軸調整が容易なレンズ鏡筒に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサ等の撮像素子を用いたデジタルスチルカメラやビデオカメラの普及が著しい。一般に、これらのデジタルスチルカメラやビデオカメラには、被写体の光学像を撮像素子に結像させるためのレンズ鏡筒が取り付けられている。
【０００３】
これらのレンズ鏡筒には、ズーム動作を行うためのズームレンズがレンズ鏡筒内で光軸方向に移動可能に設けられている。ズームレンズはレンズ保持枠に保持されて、レンズ保持枠を光軸方向へ案内するガイド軸を備え、そのガイド軸がレンズ鏡筒に支持固定されている。被写体からの光がズームレンズを含むレンズ系を通過し、被写体の光学像を撮像素子に結像させる。
【０００４】
このようなレンズ系において、レンズ保持枠やレンズ鏡筒の寸法誤差、あるいはレンズ保持枠に対するレンズの取り付け精度のばらつきなどによって、ズームレンズの光軸がレンズ鏡筒に固定された固定レンズの光軸に対して傾きを生じる場合がある。このような光軸の傾きは、撮像素子の撮像面に結像される被写体の像の一部分に焦点ぼけ、いわゆる片ぼけを生じさせる。
【０００５】
このようなズームレンズの光軸を調整可能としたレンズ鏡筒の構成が特許文献１に開示されている。特許文献１では、レンズ鏡筒の外側から孔部に装脱可能に挿入される軸部と、軸部の中心軸線に対して偏心した中心軸線を有するガイド軸の軸受孔と有する軸受部材を開示している。このような偏心量が異なる複数の軸受部材を準備して、レンズ鏡筒を組み立てる際に光軸の傾きに応じて最適な軸受部材を装着させて光軸を調整している。
【０００６】
また、特許文献２では、特許文献１で開示されたのと同様の軸受部材を用い、軸受部材を回動させることによって、光軸の調整を行っている。
【先行技術文献】
【特許文献】
【０００７】
【特許文献１】特開２００６‐２２７１７０号公報
【特許文献２】特開２００７‐２７９１５２号公報
【発明の概要】
【発明が解決しようとする課題】
【０００８】
しかしながら、上記特許文献１に記載の発明では、偏心量が異なる複数の軸受部材を複数用意して、ガイド軸の傾きに応じて最適な偏心量を有する軸受部材を選択する必要があり、準備すべき部品点数と組み立て工数が増加するといった課題を有している。また、特許文献２に記載の発明では、所定の偏心量を有する軸受部材を回動させているため、ガイド軸の傾きの微調整ができないといった課題を有している。
【０００９】
そこで、本発明は、上記の課題を解決し、レンズ群の光軸調整が容易なレンズ鏡筒を提供することを目的とする。
【課題を解決するための手段】
【００１０】
上記目的を達成するために、本発明のレンズ鏡筒は、複数のレンズ群を収納するレンズ鏡筒であって、レンズ鏡筒内に、少なくとも一つのレンズ群の光軸方向に移動する可動レンズ群を有し、可動レンズ群が、可動レンズ群を保持する可動レンズ保持枠と、可動レンズ保持枠を保持して可動レンズ群を光軸方向に移動させるガイド軸と、ガイド軸の一端部を支持固定する筐体と、ガイド軸の他端部を支持固定する保持部材とを備え、保持部材は筐体に対して弾性部材を介して固定されている。
【００１１】
このような構成によれば、固定レンズの光軸に一致させるようにする可動レンズ群の光軸調整を容易、かつ高精度に実現して、片ぼけ発生のないレンズ鏡筒を実現することができる。
【発明の効果】
【００１２】
以上のように、本発明によれば、可動レンズ群の光軸調整を容易、かつ高精度に実現して、片ぼけ発生のないレンズ鏡筒を実現することができる。
【図面の簡単な説明】
【００１３】
【図１】実施の形態１におけるデジタルスチルカメラの外観を示す斜視図
【図２】同デジタルスチルカメラの内部に収納されたレンズ鏡筒の外観を示す斜視図
【図３】図２におけるＡ−Ａ線断面図
【図４】実施の形態１における第２レンズ群の移動機構の詳細を示す斜視図
【図５】同第２レンズ群のチルト調整の概要を示す模式図
【図６】同第２レンズ群における移動機構の保持部材の配置詳細を示す斜視図
【図７Ａ】実施の形態１おいて保持部材を変位させる前の状態を示す平面図
【図７Ｂ】同保持部材を変位させた後の状態を示す平面図
【図８】実施の形態１で用いたカバーを示す斜視図
【図９】同カバーで保持部材を覆った状態を示す平面図
【図１０Ａ】実施の形態２のレンズ鏡筒におけるガイド軸の保持部材を示す平面図
【図１０Ｂ】同保持部材を押圧ビスで押圧した場合の変位の状況を示す平面図
【図１１】実施の形態３のレンズ鏡筒におけるガイド軸の保持部材を示す平面図
【図１２】他の実施の形態としてガイド軸の端部を押圧ビスで押圧する例を示す斜視図
【図１３】他の実施の形態として保持部材と筐体とをばねなどで連結して押圧ビスで押圧する例を示す平面図
【図１４】他の実施の形態として保持部材を立体形状とした例を示す断面図
【図１５】他の実施の形態として保持部材の板状部を弾性変形させる例を示す平面図
【発明を実施するための形態】
【００１４】
以下、本発明の一実施の形態におけるレンズ鏡筒について、デジタルスチルカメラを例として図面を用いて説明する。
【００１５】
（実施の形態１）
［１．デジタルスチルカメラの構成］
図１は実施の形態１におけるデジタルスチルカメラ１００の外観を示す斜視図である。なお、以下の説明では、デジタルスチルカメラ１００の筐体となる６面を以下のように定義する。すなわち、デジタルスチルカメラ１００による撮影時に被写体側を向く面を前面部１０１、その反対側の面を背面部１０２とする。また、被写体の鉛直方向上下とデジタルスチルカメラ１００で撮像されるアスペクト比（長辺対短辺の比）が３：２、４：３、１６：９などの短辺方向上下とが一致するように撮影を行う場合に、鉛直方向上側に向く面を上面部１０３、その反対面を底面部１０４とする。さらに、被写体側から見て左側に来る面を左側面部１０５、その反対側の面を右側面部１０６とする。なお、これらの面の定義は、デジタルスチルカメラ１００に配置された状態の各構成部材に対しても適用される。
【００１６】
また、図１に示すように、デジタルスチルカメラ１００の前面部１０１に直交するＹ軸を有する３次元直交座標系を定義する。すなわち、背面部１０２から前面部１０１に向かう方向がＹ軸正方向、右側面部１０６から左側面部１０５に向かう方向がＸ軸正方向、さらに、Ｘ軸およびＹ軸に直交し、底面部１０４から上面部１０３に向かう方向がＺ軸正方向となる。以下、それぞれの図においては、このＸＹＺ座標系を基準として説明を行う。
【００１７】
デジタルスチルカメラ１００の前面部１０１には、被写体に対しての対物レンズである第１レンズ２１１が設けられている。また、上面部１０３には、撮影者が撮影操作などの操作を行えるように、撮影モード切替ボタン１０７、レリーズボタン１０８、電源スイッチ１０９、ズーム調節レバー１１０などが設けられている。レリーズボタン１０８は撮影者が露出のタイミングを入力するためのボタンである。撮影モード切替ボタン１０７は、撮影者が撮影操作に関する設定切替を行うためのボタンである。電源スイッチ１０９は撮影者がデジタルスチルカメラ１００の電源ＯＮおよびＯＦＦを操作するためのスイッチである。ズーム調節レバー１１０は、撮影者がズーム倍率を調整するためのレバーであり、レリーズボタン１０８を中心として所定の角度の範囲内で回転可能なように構成されている。また、背面部１０２には、撮影画像を表示する液晶モニタ（図示せず）が設けられている。
【００１８】
図１に示すように、デジタルスチルカメラ１００の内部には被写体の光学像を形成するレンズ群が収納されたレンズ鏡筒１１１が配置されている。
【００１９】
［２．レンズ鏡筒の構成］
図２は実施の形態１におけるデジタルスチルカメラ１００の内部に収納されたレンズ鏡筒１１１の外観を示す斜視図であり、図３は図２におけるＡ−Ａ線断面図である。
【００２０】
これらの図２、図３に示すように、レンズ鏡筒１１１には、第１レンズ群２１０、第２レンズ群２２０、第３レンズ群２３０、第４レンズ群２４０、第５レンズ群２５０、第６レンズ群２６０が配置されている。さらに、第３レンズ群２３０と第４レンズ群２４０との間にはシャッターユニット２７０が配置されている。第６レンズ群２６０はマスターフランジ２８０に支持され、マスターフランジ２８０には撮像素子２９０が配置されている。撮像素子２９０としては、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサなどが用いられる。
【００２１】
第１レンズ群２１０は、対物レンズとなる第１レンズ２１１、第２レンズである反射プリズム２１２、第３レンズ２１３により構成され、これらが接着固定されてレンズ鏡筒１１１を構成する筐体２１４に固定されている。
【００２２】
第２レンズ群２２０は、ズームレンズ群であり、第４レンズ２２１と第５レンズ２２２と第６レンズ２２３とが接着固定されて、第２レンズ群保持枠２２４に装着されている。第２レンズ群保持枠２２４は、レンズ鏡筒１１１の外部に配置した第２レンズ群駆動手段２２５によって、レンズ鏡筒１１１の筐体２２６内を移動するように構成されている。
【００２３】
第３レンズ群２３０は、単一の第７レンズ２３１によって構成され、筐体２３２に支持固定されている。
【００２４】
第４レンズ群２４０は、フォーカスレンズ群であり、第８レンズ２４１と第９レンズ２４２とにより構成されて、第４レンズ群保持枠２４３に装着されている。第４レンズ群保持枠２４３は、レンズ鏡筒１１１の外部に配置した第４レンズ群駆動手段２４４によって、レンズ鏡筒１１１の筐体２４５内を移動するように構成されている。
【００２５】
第５レンズ群２５０は、単一の第１０レンズ２５１によって構成され、筐体２５２に支持固定されている。
【００２６】
第６レンズ群２６０は、手振れ補正レンズ群であり、第１１レンズ２６１によって構成されて、第６レンズ群保持枠２６２に装着されている。第６レンズ群保持枠２６２が第６レンズ群駆動手段（図示せず）によってレンズ鏡筒１１１の筐体２６３内を移動するように構成されている。
【００２７】
ここで、レンズ鏡筒１１１を構成するそれぞれの筐体２１４、筐体２２６、筐体２３２、筐体２４５、筐体２５２、筐体２６３、およびマスターフランジ２８０は、図３に示すＺ軸方向の光軸３００と平行となるように組み立てられている。なお、これらの筐体を一体で構成しても良い。また、図３に示す光軸３１０は対物レンズとなる第１レンズ２１１から入射するＹ軸方向の光軸であり、光軸３１０と光軸３００とは同一面上で直角に交差している。
【００２８】
したがって、第１レンズ２１１から入射した光は、第１レンズ群２１０、第２レンズ群２２０、第３レンズ群２３０、シャッターユニット２７０、第４レンズ群２４０、第５レンズ群２５０、さらには第６レンズ群２６０を通過して、撮像素子２９０に結像する。このとき、第２レンズ群２２０は光軸３００上を移動してズーム調整をし、第４レンズ群２４０は光軸３００上を移動してフォーカス調整をしている。さらに、第６レンズ群２６０は光軸３００上を移動して手振れ補正の調整をしている。
【００２９】
［３．第２レンズ群の移動機構の構成］
次に、図３、および図４を用いて、第２レンズ群２２０の移動機構の詳細について説明する。図４は実施の形態１における第２レンズ群２２０の移動機構の詳細を示す斜視図であり、第２レンズ群２２０と第１レンズ群２１０との主要構成要素を示している。また、図５は実施の形態１における第２レンズ群２２０のチルト調整の概要を示す模式図である。
【００３０】
図４に示すように、第２レンズ群２２０は第２レンズ群保持枠２２４に支持固定され、不要光の遮光を目的とした遮光シート４１０で覆われている。第２レンズ群保持枠２２４には第２レンズ群移動軸受部４２０が一体的に設けられ、さらに、第２レンズ群移動軸受部４２０にはズームラック部４３０が所定角度に回転自在に取り付けられている。第２レンズ群移動軸受部４２０にはガイド軸４４０が挿入されている。第２レンズ群移動軸受部４２０は、その長手方向の上部と下部に設けられた第１軸受４２０ａと第２軸受４２０ｂとによりガイド軸４４０上に軸支され、ガイド軸４４０上をスライド可能としている。
【００３１】
すなわち、ステッピングモータなどの第２レンズ群駆動手段２２５によって、ズームラック部４３０と係合したピニオン（図示せず）が駆動され、ズームラック部４３０がＺ方向に上下移動する。この移動によって、第２レンズ群保持枠２２４が、ガイド軸４４０によって位置規制されながら光軸３００上をＺ方向に上下移動してズーム調整をすることができる。
【００３２】
また、第２レンズ群保持枠２２４の第２レンズ群移動軸受部４２０と反対側の側面には、第３軸受４５０が設けられ、第３レンズ群２３０の筐体２３２に一体で立設させたズームガイド副軸４６０に沿って上下移動するように構成されている。ズームラック部４３０はばね４７０によってピニオン（図示せず）に押圧され、ズームラック部４３０とピニオンとが係合するようにしている。
【００３３】
図４、図５に示すように、ガイド軸４４０の端部４４０ａは、第３レンズ群２３０の筐体２３２に支持固定され、さらにその端部４４０ｂは第１レンズ群２１０を固定した筐体２１４を貫通して、筐体２１４の上部に設けた保持部材４８０に支持固定されている。すなわち、ズームレンズとなる第２レンズ群２２０は、レンズ鏡筒１１１を構成する第３レンズ群２３０の筐体２３２と第１レンズ群２１０の筐体２１４とに端部４４０ａ、４４０ｂを支持固定されたガイド軸４４０に沿って移動する。
【００３４】
しかしながら、このようなレンズ群の構成においては、レンズ保持枠やレンズ鏡筒１１１を構成する筐体部品の寸法誤差、あるいはレンズ保持枠に対するレンズの取り付け精度のばらつきなどによって、ズームレンズの光軸がレンズ鏡筒１１１に固定された固定レンズの光軸に対して傾きを生じる場合がある。このような光軸の傾きは、撮像素子２９０の撮像面に結像される被写体の像の一部分に焦点ぼけ、いわゆる片ぼけを生じさせる。
【００３５】
そのため、ズームレンズとなる第２レンズ群２２０の光軸を第１レンズ群２１０などの固定レンズの光軸３００と合わせる調整が必要となる。この調整は、部品や組み立ての誤差などにより生じたガイド軸４４０の傾き（チルト）を調整することによって可能となる。
【００３６】
［４．ガイド軸のチルト調整］
実施の形態１におけるチルト調整について図５を用いて説明する。図５に示すように、第２レンズ群保持枠２２４に保持された第２レンズ群２２０は、第２レンズ群移動軸受部４２０と一体となってガイド軸４４０上を移動する。ガイド軸４４０の端部４４０ａは筐体２３２に支持固定され、さらにその端部４４０ｂは筐体２１４を貫通して、筐体２１４の上部に設けた保持部材４８０に支持固定されている。
【００３７】
組み立ての際に、ガイド軸４４０が光軸３００に対して角度θだけ傾斜すると、第２レンズ群２２０は光軸３００に対して角度θだけずれて移動して、撮像素子２９０の撮像面に結像される被写体の像の一部分に焦点ぼけ、いわゆる片ぼけを生じさせる。
【００３８】
そこで、実施の形態１では、筐体２１４に支持固定された保持部材４８０を移動させてガイド軸４４０の中心軸線４４０ｄが光軸３００と平行となるように調整するようにしている。すなわち、図５においては、保持部材４８０の右側面部４８０ａを矢印Ｂ方向に押圧して傾斜θを調整している。
【００３９】
次に、実施の形態１における保持部材４８０の詳細について説明する。図６は実施の形態１における第２レンズ群２２０の移動機構の詳細を示す斜視図であり、筐体２１４内における保持部材４８０の配置の詳細を示す図である。図６に示すように、ガイド軸４４０が第１レンズ群２１０を固定した筐体２１４を貫通して、筐体２１４の上部に設けた保持部材４８０に支持固定されている。保持部材４８０は筐体２１４と一体で形成されるか、別体で形成して筐体２１４に一体的に結合されている。
【００４０】
また、保持部材４８０は、ガイド軸４４０を保持する孔部を設けた板状部材であり、板状部４８１と、保持部材４８０の本体である板状部４８１の側面からＬ字形状に延伸した弾性部材であるヒンジ４８２とを有している。すなわち、図７Ａに示すように、弾性部材であるヒンジ４８２は、第１の板状部材４８２ａと、第１の板状部材４８２ａが延出する方向と直交する方向に延出する第２の板状部材４８２ｂからなり、第１の板状部材４８２ａおよび第２の板状部材４８２ｂが、筐体２１４に樹脂成型により一体に設けられているガイド軸４４０は板状部４８１に設けた孔部を貫通し、その端部４４０ｂは保持部材４８０の上面より突出して形成されている。
【００４１】
さらに、筐体２１４の側面部２１４ａには第１押圧ビス４９０ａが配置され、第１押圧ビス４９０ａを筐体２１４から出し入れさせることにより、保持部材４８０の板状部４８１の端面を押圧するようにしている。したがって、第１押圧ビス４９０ａによって保持部材４８０が押圧されると、ヒンジ４８２が弾性変形して保持部材４８０の位置を変位させることができる。すなわち、保持部材４８０に貫通して支持固定されたガイド軸４４０が、保持部材４８０の位置変位と同じだけ変位する。
【００４２】
図７Ａ、図７Ｂは、実施の形態１において保持部材４８０を変位させる状態を示す平面図であり、図７Ａは保持部材４８０を変位させる前の状態、図７Ｂは保持部材４８０を変位させた後の状態を示す。図７Ａに示すように、実施の形態１における保持部材４８０は、Ｘ−Ｙ面に平行な平面を有する板状部４８１と、ヒンジ４８２とにより構成された弾性部材である。ヒンジ４８２を設けて筐体２１４に連結させることで、保持部材４８０がＸＹ平面上を移動可能としている。また、板状部４８１の端面４８１ａはＹ軸に対し所定角度だけ傾斜するように構成され、端面４８１ｂがＸ軸に対しても所定角度だけ傾斜するように構成されている。一方、筐体２１４には、保持部材４８０の端面４８１ａと端面４８１ｂに対応させて、第１押圧ビス４９０ａと第２押圧ビス４９０ｂが設けられている。第１押圧ビス４９０ａと第２押圧ビス４９０ｂとは略直交するように設けられている。
【００４３】
したがって、図７Ａに示すように、第２レンズ群２２０を組み合わせた状態では、ガイド軸４４０の中心軸が所定の中心軸に対して、Ｙ方向にε１、Ｘ方向にε２だけずれて傾いて組み立てられている。すなわち、図３などに示す光軸３００に対して所定角度を有して傾いて組み立てられることになる。
【００４４】
そこで、図７Ｂに示すように、第１押圧ビス４９０ａによって保持部材４８０の端面４８１ａを矢印Ｃ方向に押圧するとともに、第２押圧ビス４９０ｂによって端面４８１ｂを矢印Ｄ方向に押圧する。したがって、第１押圧ビス４９０ａとそれに直交する第２押圧ビス４９０ｂとによって、その押圧する距離を調整すると、ヒンジ４８２が変形しながら保持部材４８０が変位移動し、その結果、ガイド軸４４０の位置が移動してガイド軸４４０の傾き調整を高い精度で実現することができる。
【００４５】
なお、このような、ガイド軸４４０の傾き調整をする際に、押圧ビスによって押圧される面が、押圧ビスの押圧方向に対して垂直であれば微調整がより高精度に行うことができる。そこで、上述のように実施の形態１では、第１押圧ビス４９０ａと第２押圧ビス４９０ｂとによって押圧される端面４８１ａと端面４８１ｂとを傾斜させている。
【００４６】
すなわち、ガイド軸４４０の傾き調整の際に、まず粗調整として、大きな変位移動量で、それぞれの端面４８１ａ、端面４８１ｂが押圧されるようにし、次に微調整として微小な変位移動量で傾き調整をしている。
【００４７】
したがって、実施の形態１では、端面４８１ａと端面４８１ｂとが傾斜しているため、粗調整を行った後に、端面４８１ａは第１押圧ビス４９０ａの押圧方向に略垂直になるようにし、端面４８１ｂが第２押圧ビス４９０ｂの押圧方向に略垂直になるようにしている。そのため、次の微調整において高精度に傾き調整を行うことができ、高精度な光軸調整が可能となる。なお、端面４８１ａと端面４８１ｂとの傾斜の程度は、各部品や組み立ての精度に応じて任意に決定できる。
【００４８】
このようにして、ズームレンズとなる第２レンズ群２２０と光軸３００との調整を容易に、かつ高精度で行うことができる。
【００４９】
また、図７Ｂのようにガイド軸４４０の傾き調整を行った保持部材４８０は第１押圧ビス４９０ａと第２押圧ビス４９０ｂとにより、筐体２１４に固定されている。しかしながら、振動や落下などの衝撃が印加されると、これらの押圧ビスの締結が緩みガイド軸４４０の位置が変位し、光軸３００との平行性を確保できなくなる場合がある。
【００５０】
そこで、実施の形態１では、図７Ｂの状態を固定するように位置決めのカバーを設けている。図８は、実施の形態１で用いたカバー５００を示す斜視図である。図８に示すように、カバー５００は平板でガイド軸４４０と所定の隙間精度で嵌めあう孔部５０１を有し、少なくともＸ軸、Ｙ軸方向の２箇所に切欠き部５０２ａ、切欠き部５０２ｂを形成している。また、切欠き部５０２ａ、切欠き部５０２ｂは図７Ａ、図７Ｂの筐体２１４の上面に対応して設けられている。
【００５１】
図９は、本実施の形態１においてカバー５００で保持部材４８０を覆った状態を示す平面図であり、図７Ｂにカバー５００を配置した状態を示している。図９に示すように、保持部材４８０から突出したガイド軸４４０が、カバー５００の孔部５０１に嵌めあわされ、筐体２１４の上面に配置されている。ここで、切欠き部５０２ａ、５０２ｂは接着剤５０３がモールドされてカバー５００を筐体２１４と接着固定するようにしている。
【００５２】
このように構成することにより、傾き調整を行ったガイド軸４４０の位置をより確実に固定し、落下や衝撃などによってもガイド軸４４０の傾きを発生させずに、片ぼけ発生を抑制することができる。
【００５３】
（実施の形態２）
実施の形態２のレンズ鏡筒では、実施の形態１に比べて保持部材の構成が異なる。したがって、保持部材以外の他の構成要素は、実施の形態１と同様であるのでその説明は省略する。
【００５４】
図１０Ａは、実施の形態２のレンズ鏡筒におけるガイド軸の保持部材６００を示す平面図であり、図１０Ｂは、その保持部材６００を押圧ビス４９０ａ、押圧ビス４９０ｂで押圧した場合の変位の状況を示す平面図である。
【００５５】
すなわち、図１０Ａに示すように、実施の形態２における保持部材６００は、ＸＹ平面に平行な面を有する板状部材である。保持部材６００は、ガイド軸４４０を貫通支持する孔部６０１が設けられ、Ｘ方向、Ｙ方向に略平行な端面６２０ａ、端面６２０ｂを有する保持部材６００の本体である板状部６３０と、Ｘ方向に延出された第１の板状部材である２本のヒンジ６４０ａ、ヒンジ６４０ｂと、さらに、Ｙ方向に延出された第２の板状部材である２本のヒンジ６５０ａ、６５０ｂとを備えている。また、ヒンジ６４０ａ、ヒンジ６４０ｂとヒンジ６５０ａ、ヒンジ６５０ｂとを連結接続する接続部６６０を備えている。ここで、ヒンジ６４０ａ、ヒンジ６４０ｂ、ヒンジ６５０ａ、ヒンジ６５０ｂが弾性部材となる。
【００５６】
すなわち、保持部材６００は、板状部６３０が２本のヒンジ６４０ａ、ヒンジ６４０ｂによって接続部６６０に連結され、さらに接続部６６０からの延出された２本のヒンジ６５０ａ、ヒンジ６５０ｂによって筐体２１４に固定されている。また、板状部６３０の端面６２０ａは第１押圧ビス４９０ａによって押圧され、端面６２０ｂは第２押圧ビス４９０ｂによって押圧されるようにして、保持部材６００をＸ方向、Ｙ方向に変位移動させるようにしている。
【００５７】
このような、保持部材６００では、第１押圧ビス４９０ａと第２押圧ビス４９０ｂとで押圧すると、図１０Ｂの破線で示すように保持部材６００が変位して移動する。
【００５８】
まず、第１押圧ビス４９０ａによって端面６２０ａがＸ方向に押圧される場合について述べる。この場合、板状部６３０とヒンジ６４０ａ、ヒンジ６４０ｂ、さらには接続部６６０によって構成された剛体が、２本のヒンジ６５０ａ、ヒンジ６５０ｂによって筐体２１４に固定されている。そのため、Ｘ方向の押圧によって、２本のヒンジ６５０ａ、ヒンジ６５０ｂが弾性変形をする。その際、ヒンジ６５０ａとヒンジ６５０ｂは、Ｘ方向に距離を設けて配置されている。そのため、ヒンジ６５０ａ、ヒンジ６５０ｂが図１０Ｂに示すように変位し、板状部６３０の端面６２０ａが、Ｙ軸と平行を保持した状態でＸ方向に移動する。
【００５９】
次に、第２押圧ビス４９０ｂによって端面６２０ｂがＹ方向に押圧される場合について述べる。この場合は、板状部６３０とヒンジ６５０ａ、ヒンジ６５０ｂ、さらには接続部６６０によって構成された剛体が、２本のヒンジ６４０ａ、ヒンジ６４０ｂによって筐体２１４に固定されている。そのため、Ｙ方向の押圧によって、２本のヒンジ６４０ａ、ヒンジ６４０ｂが弾性変形をする。その際、ヒンジ６４０ａとヒンジ６４０ｂは、Ｙ方向に距離を設けて配置している。そのため、ヒンジ６４０ａ、ヒンジ６４０ｂが図１０Ｂに示すように変位し、板状部６３０の端面６２０ｂが、Ｘ軸と平行を保持した状態でＹ方向に移動する。
【００６０】
すなわち、保持部材６００に、それぞれ、Ｘ方向、Ｙ方向に延出した少なくとも２本のヒンジを設け、保持部材６００をＸ方向、Ｙ方向に押圧すると、保持部材６００はＸ方向、Ｙ方向に略平行に移動させることができる。したがって、保持部材６００を押圧することによって、保持部材６００がガイド軸４４０の周りで回転して、押圧による微調整不能になることがなく、高精度なガイド軸４４０の傾き調整が可能となる。また、このような構成によれば、保持部材６００の押圧される端面に傾斜を設ける必要がない。
【００６１】
なお、本実施の形態２の図１０Ａでは、ヒンジ６４０ａとヒンジ６４０ｂとをＸ方向に略平行に設け、さらに、ヒンジ６５０ａとヒンジ６５０ｂもＹ方向に略平行に設けている。しかしながら、これらが必ずしも平行である必要はなく、また、Ｘ方向、Ｙ方向に直線的に延出している必要もない。また、ヒンジ６４０ａとヒンジ６４０ｂ、さらにはヒンジ６５０ａとヒンジ６５０ｂとがそれぞれ同一形状である必要もなく、保持部材６００をＸ方向、Ｙ方向に平行に移動させるための任意の形状としてもよい。
【００６２】
（実施の形態３）
実施の形態３のレンズ鏡筒では、実施の形態１に比べて保持部材を押圧する構成が異なる。したがって、保持部材とそれを押圧する以外の他の構成要素は、実施の形態１と同様であるのでその説明は省略する。
【００６３】
図１１は、実施の形態３のレンズ鏡筒におけるガイド軸の保持部材を示す平面図であり、保持部材７２０と保持部材７２０を押圧する第１の押し引きねじ７２１、第２の押し引きねじ７２２と筐体２１４とを示している。
【００６４】
すなわち、図１１に示すように、実施の形態３における保持部材７２０は、ＸＹ平面に平行な面を有する板状部材である。保持部材７２０には、ガイド軸４４０を貫通支持する孔部７２７が設けられ、実施の形態１と同様の弾性部材となるヒンジ４８２を備えている。なお、ヒンジ４８２は実施の形態２に記載のヒンジ６４０ａ、ヒンジ６４０ｂ、ヒンジ６５０ａ、ヒンジ６５０ｂおよび接続部６６０の形態でもよい。保持部材７２０には、Ｘ方向に第１の雌ねじ７２３とＹ方向に第２の雌ねじ７２４を備えている。筐体２１４は、Ｘ方向に第１の押し引きねじ保持部７２５を備えて、第１の押し引きねじ７２１が回転自在に固定保持され、第１の押し引きねじ７２１は第１の雌ねじ７２３にかみ合っている。同様に、筐体２１４には、Ｙ方向に第２の押し引きねじ保持部７２６を備えて、第２の押し引きねじ７２２が回転自在に固定保持され、第２の押し引きねじ７２２は第２の雌ねじ７２４にかみ合っている。
【００６５】
すなわち、保持部材７２０は、第１の押し引きねじ７２１によって、Ｘ方向に押し引きされる。同様に第２の押し引きねじ７２２によって、Ｙ方向に押し引きされる。
【００６６】
すなわち、保持部材７２０を第１の押し引きねじ７２１および第２の押し引きねじ７２２の調整によって、保持部材７２０はＸ方向、Ｙ方向に略平行に移動させることができる。したがって、保持部材７２０を押し引きすることによって、ヒンジ４８２の反発力が不足しても押し引きによる微調整不能になることがなく、高精度なガイド軸４４０の傾き調整が可能となる。また、このような構成によれば、保持部材７２０の雌ねじを設ける端面に傾斜を設ける必要がない。
【００６７】
（他の実施の形態）
以上のように、本発明の実施の形態を例示した。しかし、本発明はこれらの構成には限らない。そこで、他の実施の形態を以下にまとめて説明する。なお、本発明は、これらには限定されず、適宜修正された実施の形態に対しても適用可能である。
【００６８】
実施の形態１においては、保持部材４８０の板状部４８１の端面４８１ａと端面４８１ｂを押圧する構成とし、実施の形態２では保持部材６００の板状部６３０の端面６２０ａと端面６２０ｂとを押圧する構成としたが、これに限らない。例えば、図１２に示すように、保持部材７００として、板状部７０１とヒンジ７０２を備え、板状部７０１を貫通したガイド軸４４０の端部４４０ｂを第１押圧ビス７０３で押圧するようにしてもよい。また、このとき、図示はしていないが、第１押圧ビス７０３と直交する第２押圧ビスを設けてガイド軸４４０を押圧するようにしてもよい。
【００６９】
また、実施の形態１ではヒンジ４８２を設け、実施の形態２ではヒンジ６４０ａ、ヒンジ６４０ｂ、ヒンジ６５０ａ、ヒンジ６５０ｂを設けて、それらのヒンジを弾性変形させるようにしているが、これに限らない。例えば、図１３に示すように、保持部材７１０と筐体２１４とを、ばね７１１、ばね７１２などで連結して第１押圧ビス７０３や第２押圧ビス７１３で押圧してもよい。
【００７０】
また、実施の形態１や実施の形態２では、保持部材４８０や保持部材６００は平板形状としたがこれに限らない。例えば、図１４に示すように、保持部材８００を立体形状としてもよい。すなわち、ガイド軸４４０を支持固定ずる板状部８０１と、その板状部８０１の端部の少なくとも４か所から脚部８０２が設けられ、その脚部８０２を筐体２１４に固定するような構成であってもよい。このような構成では、ガイド軸４４０を押圧することによって、脚部８０２が弾性変形して保持部材８００を変位移動させることができる。また、このような保持部材８００は板金加工などで容易に実現することができる。
【００７１】
また、実施の形態１では板状部４８１にヒンジ４８２を設け、実施の形態２では板状部６３０にヒンジ６４０ａ、ヒンジ６４０ｂ、ヒンジ６５０ａ、ヒンジ６５０ｂを設けて、それらのヒンジを弾性変形させるようにしているが、これに限らない。例えば、図１５に示すように、板状部９００そのものが弾性変形するようにしてもよい。すなわち、板状部９００には、螺旋状に開口９０１が形成され、その中心にガイド軸が貫通する孔部９０２が設けられている。また、板状部９００のコーナーが筐体にビス９０３によって固定される構成であってもよい。このような構成によれば、ガイド軸を押圧することによって、板状部９００そのものが変位移動してガイド軸を移動させることができる。
【００７２】
なお、以上の説明では、可動レンズ群としてズームレンズである第２レンズ群２２０について説明したが、そのレンズ群がフォーカスレンズである第４レンズ群２４０や、その他の可動レンズ群であってもよい。
【００７３】
（まとめ）
実施の形態のレンズ鏡筒１１１は、複数の第１レンズ群２１０、第２レンズ群２２０、第３レンズ群２３０、第４レンズ群２４０、第５レンズ群２５０、および第６レンズ群２６０を収納するレンズ鏡筒１１１であって、レンズ鏡筒１１１内にこれらレンズ群の光軸３００方向に移動する可動レンズ群である第２レンズ群２２０を有し、第２レンズ群２２０が、第２レンズ群２２０を保持する可動レンズ保持枠である第２レンズ群保持枠２２４と、第２レンズ群保持枠２２４を保持して第２レンズ群２２０を光軸３００方向に移動させる端部４４０ａが第１筐体となる筐体２３２に支持固定され、端部４４０ｂが保持部材４８０に支持固定されたガイド軸４４０とを備え、保持部材４８０が弾性部材となるヒンジ４８２を介して第２筐体となる筐体２１４に固定されている。
【００７４】
このような構成によれば、固定レンズとなる第１レンズ群２１０などの光軸３００に一致させるようにする第２レンズ群２２０の光軸調整を容易、かつ高精度に実現して、片ぼけ発生のないレンズ鏡筒１１１を実現することができる。
【００７５】
さらに、弾性部材となるヒンジ４８２は保持部材４８０の本体である板状部４８１からＬ字形状に延伸されている。このような構成によれば、板状部４８１を押圧することで容易にガイド軸４４０の傾きを調整することができる。
【００７６】
さらに、保持部材６００は所定の方向に延出する少なくとも２本の第１ヒンジとなるヒンジ６４０ａ、ヒンジ６４０ｂと、ヒンジ６４０ａ、ヒンジ６４０ｂが延出する方向と直交する方向に延出する少なくとも２本の第２ヒンジとなるヒンジ６５０ａ、ヒンジ６５０ｂを有してもよい。このような構成によれば、保持部材６００を直交する方向から押圧して変位移動させる際に、押圧方向に対して略直交して保持部材６００を移動することが可能となり、高精度なガイド軸４４０の傾き調整が可能となる。
【００７７】
さらに、保持部材４８０がガイド軸４４０を保持する板状部４８１を有する板状部材であり、板状部材の端部となる端面４８１ａ、端面４８１ｂを押圧することにより弾性部材となるヒンジ４８２を変形させて、ガイド軸４４０の位置を変位させてもよい。このような構成によれば、保持部材４８０を押圧することでヒンジ４８２が変位して、ガイド軸４４０を簡単に移動させてその傾きを調整することができる。
【００７８】
さらに、保持部材７００がヒンジ７０２を有する弾性部材であり、保持部材７００に支持固定したガイド軸４４０を押圧することにより保持部材７００を変形させて、ガイド軸４４０の位置を変位させてもよい。このような構成によれば、ガイド軸４４０を押圧することでヒンジ７０２が変位して、ガイド軸４４０を簡単に移動させてその傾きを調整することができる。
【００７９】
さらに、保持部材４８０の端部となる端面４８１ａ、端面４８１ｂを押圧する方向、またはガイド軸４４０を押圧する方向が、ガイド軸４４０の軸方向に直交する少なくなくとも２方向であってもよい。このような構成によれば、平面内で自由にガイド軸４４０の位置を変位させて、高精度で微妙な傾き調整を実現することができる。
【００８０】
さらに、保持部材４８０に支持固定されたガイド軸４４０の端部４４０ｂを保持部材４８０よりも突出させ、突出した端部４４０ｂの筐体２１４に対する位置を固定する固定部材としてのカバー５００を備えてもよい。このような構成によれば、傾き調整した後のガイド軸４４０の位置を固定して安定させることができる。
【００８１】
さらに、固定部材としてのカバー５００を筐体２１４に接着接合してもよい。このような構成によれば、落下や衝撃などによってもガイド軸４４０の傾きを発生させずに、片ぼけ発生を抑制することができる。
【産業上の利用可能性】
【００８２】
本発明は、撮像装置のレンズ鏡筒に関するものであり、特に、レンズ群の光軸調整が容易なレンズ鏡筒を提供できる。そのため、デジタルスチルカメラやデジタルビデオカメラ、フィルムカメラ、カメラ付き携帯電話端末、カメラ付き端末等に適用できる。
【符号の説明】
【００８３】
１００    デジタルスチルカメラ
１０１    前面部
１０２    背面部
１０３    上面部
１０４    底面部
１０５    左側面部
１０６    右側面部
１０７    撮影モード切替ボタン
１０８    レリーズボタン
１０９    電源スイッチ
１１０    ズーム調節レバー
１１１    レンズ鏡筒
２１０    第１レンズ群
２１１    第１レンズ
２１２    反射プリズム
２１３    第３レンズ
２１４，２２６，２３２，２４５，２５２，２６３    筐体
２１４ａ    側面部
２２０    第２レンズ群
２２１    第４レンズ
２２２    第５レンズ
２２３    第６レンズ
２２４    第２レンズ群保持枠
２２５    第２レンズ群駆動手段
２３０    第３レンズ群
２３１    第７レンズ
２４０    第４レンズ群
２４１    第８レンズ
２４２    第９レンズ
２４３    第４レンズ群保持枠
２４４    第４レンズ群駆動手段
２５０    第５レンズ群
２５１    第１０レンズ
２６０    第６レンズ群
２６１    第１１レンズ
２６２    第６レンズ群保持枠
２７０    シャッターユニット
２８０    マスターフランジ
２９０    撮像素子
３００，３１０    光軸
４１０    遮光シート
４２０    第２レンズ群移動軸受部
４２０ａ    第１軸受
４２０ｂ    第２軸受
４３０    ズームラック部
４４０    ガイド軸
４４０ａ，４４０ｂ    端部
４４０ｄ    中心軸線
４５０    第３軸受
４６０    ズームガイド副軸
４７０，７１１，７１２    ばね
４８０，６００，７００，７１０，７２０，８００    保持部材
４８０ａ    右側面部
４８１，６３０，７０１，８０１，９００    板状部
４８１ａ，４８１ｂ，６２０ａ，６２０ｂ    端面
４８２，６４０ａ，６４０ｂ，６５０ａ，６５０ｂ，７０２    ヒンジ
４８２ａ    第１の板状部材
４８２ｂ    第２の板状部材
４９０ａ，７０３    第１押圧ビス
４９０ｂ，７１３    第２押圧ビス
５００    カバー
５０１，９０２，７２７    孔部
５０２ａ，５０２ｂ    切欠き部
５０３    接着剤
６６０    接続部
７２１    第１押し引きねじ
７２２    第２押し引きねじ
７２３    第１雌ねじ
７２４    第２雌ねじ
７２５    第１押し引きねじ保持部
７２６    第２押し引きねじ保持部
８０２    脚部
９０１    開口
９０３    ビス
【図１】
2011145426.tif 000003
【図２】
2011145426.tif 000004
【図３】
2011145426.tif 000005
【図４】
2011145426.tif 000006
【図５】
2011145426.tif 000007
【図６】
2011145426.tif 000008
【図７Ａ】
2011145426.tif 000009
【図７Ｂ】
2011145426.tif 000010
【図８】
2011145426.tif 000011
【図９】
2011145426.tif 000012
【図１０Ａ】
2011145426.tif 000013
【図１０Ｂ】
2011145426.tif 000014
【図１１】
2011145426.tif 000015
【図１２】
2011145426.tif 000016
【図１３】
2011145426.tif 000017
【図１４】
2011145426.tif 000018
【図１５】
2011145426.tif 000019